(57)【要約】【課題】火災時閉塞装置を装備した形態であって容易に据付けることができるエレベーターの乗場装置を得る。【解決手段】火災時閉塞装置をケース１６内に収納して三方枠４の上枠５内に配置し、ケース１６を第一種取付金具１８により三方枠４の上枠５に装着する。また、ケース１６を第二種取付金具２０によって開閉装置７のハンガーケースに装着する。そして、ケース１６を第一種取付金具１８及び第二種取付金具２０により三方枠４、開閉装置７に締結することによって、火災時閉塞装置を簡易な作業により容易に所定位置に装着することができる。したがって、火災時閉塞装置を装備した形態の乗場装置を煩雑な調整作業を伴うことなく、短い作業時間によって容易に据付けでき作業能率を向上する。【選択図】　　　　図２
2004091133.tif 000002
【特許請求の範囲】
【請求項１】
昇降路に設けられた乗場の出入口の縁部を形成する三方枠と、この三方枠の上記昇降路側に設けられて上記出入口を開閉する引き戸と、上記出入口上縁の上記昇降路側に設けられて上記引き戸を開閉動作させる開閉装置と、上記三方枠の上縁部の内部に設けられて回転軸線が水平に配置された巻き取り機構及び火災災害拡大防止性能を有する可撓性板状材からなり常時は上記巻き取り機構に巻き取られて上昇位置に配置され要時に下降して上記出入口を閉塞する閉塞体からなる火災時閉塞装置と、この火災時閉塞装置の機能部材を収納したケースを上記三方枠の上枠に装着する第一種取付金具及び上記ケースを上記開閉装置のハンガーケースに装着する第二種取付金具とを備えたエレベーターの乗場装置。
【請求項２】
第一種取付金具と三方枠の上枠とを締結する締結具を、長穴からなり上記第一種取付金具の上記上枠との対向面に設けられて、上記上枠部材の対向面によって塞がれる挿通孔に挿通されたものとしたことを特徴とする請求項１記載のエレベーターの乗場装置。
【請求項３】
第二種取付金具と開閉装置とを締結する締結具を、長穴からなり上記第二種取付金具の上記開閉装置との対向面に設けられて、上記開閉装置部材の対向面によって塞がれる挿通孔に挿通されたものとしたことを特徴とする請求項１及び請求項２記載のいずれか一つに記載のエレベーターの乗場装置。
【請求項４】
ケースの下側に設けられて下端部に、三方枠の上枠の縁部に形成された折り返し屈折部に嵌合する嵌合部を有する下降口フランジを備えたことを特徴とする請求項１〜請求項３記載のいずれか一つに記載のエレベーターの乗場装置。
【発明の詳細な説明】
【０００１】
【発明の属する技術分野】
この発明は、建物の火災時に火炎、煙による昇降路を経由した火災災害拡大を防止する火災時閉塞装置が設けられたエレベーターの乗場装置に関する。
【０００２】
【従来の技術】
図１５は、従来のエレベーターの乗場装置を示す縦断側面図である。図において、１はエレベーターの昇降路、２は昇降路１に形成された乗場、３は乗場２の開口部、すなわち出入口、４は出入口３の縁部を形成した三方枠、５は三方枠４の上枠、６は三方枠４の昇降路１側に設けられて乗場２の出入口３を開閉する引き戸、７は出入口３の上縁部に設けられて昇降路１側に配置され、引き戸６を開閉動作させる開閉装置である。
【０００３】
８は火災時閉塞装置で、三方枠３の上枠５内に設けられて回転軸線が水平に配置された巻き取り機構９及び火災災害拡大防止性能を有する可撓性板状材からなり常時は巻き取り機構９に巻き取られて上昇位置に配置され、要時に下降して出入口３を閉塞する閉塞体１０によって構成されている。
【０００４】
１１は横断面溝形の案内レールで、三方枠４の側枠が鉛直線によって前後に分割して製作されることによって空隙が形成され、その空隙に介装され長手が上下方向に配置されて閉塞体１０の間口方向の縁部が摺動自在に係合されている。１２は火災時閉塞装置８の上方を覆うカバーである。
【０００５】
従来のエレベーターの乗場装置は上記のように構成され、乗場２の出入口３縁部が三方枠４によって構成される。また、出入口３が開閉装置７の機能を介して引き戸６によって開閉される。そして、火災時閉塞装置８の閉塞体１０は、常時において巻き取り機構９に巻き取られて上昇位置に配置され出入口３から撤収されている。
【０００６】
そして、乗場２が設けられた建物の階床に火災が発生したときの煙感知器（図示しない）等の動作によって巻き取り機構９の制動が解除される。これによって、閉塞体１０が自重及び先端に装着された錘の質量によって案内レール１１に案内されて下降して図１５に鎖線で示すように出入口３を閉塞する。そして、閉塞体１０による防災区画が乗場２の引き戸６の前に形成されて、閉塞体１０の火災災害拡大防止性能、すなわち遮炎性能、遮煙性能により昇降路１内への火炎、煙の侵入を防ぐようになっている。
【０００７】
【発明が解決しようとする課題】
上記のような従来のエレベーターの乗場装置では、火災時閉塞装置８が三方枠４の前後に分割された側枠における後側の側枠の上に装着され、また三方枠４の前後に分割された側枠の相互間に案内レール１１が設けられる。このため、三方枠４、火災時閉塞装置８の据付工事において部品数が多く、また各部品相互の調整箇所が多いため煩雑な作業を要する。したがって、三方枠４等の据付けに長時間を要し作業能率が低くなるという問題点があった。
【０００８】
この発明は、かかる問題点を解消するためになされたものであり、火災時閉塞装置を装備した形態であって容易に据付けることができるエレベーターの乗場装置を得ることを目的とする。
【０００９】
【課題を解決するための手段】
この発明に係るエレベーターの乗場装置においては、昇降路に設けられた乗場の出入口の縁部を形成する三方枠と、この三方枠の昇降路側に設けられて出入口を開閉する引き戸と、出入口上縁の昇降路側に設けられて引き戸を開閉動作させる開閉装置と、三方枠の上縁部の内部に設けられて回転軸線が水平に配置された巻き取り機構及び火災災害拡大防止性能を有する可撓性板状材からなり常時は巻き取り機構に巻き取られて上昇位置に配置され要時に下降して出入口を閉塞する閉塞体からなる火災時閉塞装置と、この火災時閉塞装置の機能部材を収納したケースを三方枠の上枠に装着する第一種取付金具及びケースを開閉装置のハンガーケースに装着する第二種取付金具とが設けられる。
【００１０】
また、この発明に係るエレベーターの乗場装置においては、長穴からなり第一種取付金具の三方枠の上枠との対向面に設けられて、三方枠の上枠部材の対向面によって塞がれる挿通孔に挿通されて、第一種取付金具と三方枠の上枠とを締結する締結具が設けられる。
【００１１】
また、この発明に係るエレベーターの乗場装置においては、長穴からなり第二種取付金具の開閉装置との対向面に設けられて、開閉装置部材の対向面によって塞がれる挿通孔に挿通されて、第二種取付金具と開閉装置とを締結する締結具が設けられる。
【００１２】
また、この発明に係るエレベーターの乗場装置においては、ケースの下側に設けられて下端部に、三方枠の上枠の縁部に形成された折り返し屈折部に嵌合する嵌合部を有する下降口フランジが設けられる。
【００１３】
【発明の実施の形態】
実施の形態１．
図１〜図７は、この発明の実施の形態の一例を示す図であり、図１はエレベータ乗場の正面図、図２は図１の縦断側面を拡大し、かつ破断して示す図、図３は図２のＡ部拡大図、図４は図３のケース下縁部の拡大斜視図、図５は図２のＢ部拡大斜視図、図６は図２の第二種取付金具の拡大図、図７は図６の側面図である。図において、１はエレベーターの昇降路、２は昇降路１に形成された乗場である。
【００１４】
３は乗場２の開口部、すなわち出入口、４は出入口３の縁部を形成した三方枠、５は三方枠４の上枠、１３は三方枠４の前側枠、１４は三方枠４の後側枠、１５は前側枠１３と後側枠１４との間の空隙によって形成された案内レール、６は三方枠４の昇降路１側に設けられて乗場２の出入口３を開閉する引き戸、７は出入口３の上縁部に設けられて昇降路１側に配置され引き戸６を開閉動作させる開閉装置である。
【００１５】
１６は三方枠４の上枠５内に配置された火災時閉塞装置８の要部、すなわち機能部材を収納したケースである。なお、火災時閉塞装置８は前述の図１５における火災時閉塞装置８と同様に構成され、三方枠３の上枠５内に設けられて回転軸線が水平に配置された巻き取り機構９及び火災災害拡大防止性能を有する可撓性板状材からなり常時は巻き取り機構９に巻き取られて上昇位置に配置され、要時に下降して出入口３を閉塞する閉塞体１０によって構成されている。
【００１６】
１７は上枠５の前板裏面に設けられてケース１６の上縁部に対向して配置された補強金具、１８は第一種取付金具で、一側がケース１６の上面に固定されて他側は補強金具１７と対面して配置されている。１９は第一種取付金具１８に挿通されて補強金具１７にねじ込まれ、三方枠４の上枠５とケース１６を連結する締結具である。２０は第二種取付金具で、一側がケース１６の側面に固定されて他側は開閉装置７のハンガーケースと対面して配置されている。
【００１７】
２１はケース１６と第二種取付金具２０又はケース１６と開閉装置７のハンガーケースとを締結するボルト及びナットからなる締結具、２２は火災時閉塞装置８の閉塞体１０の下降口フランジで、一側がケース１６の下面に固定されて他側は案内レール１５の案内部に対応して設けられた上枠５の縁部に形成された折り返し屈折部２３に対向して配置され、この対向箇所においてボルト及びナットからなる締結具２４によって上枠５の折り返し屈折部２３に締結されている。
【００１８】
上記のように構成されたエレベーターの乗場装置において、乗場２の出入口３縁部が三方枠４によって形成される。また、出入口３が開閉装置７の機能を介して引き戸６によって開閉される。そして、火災時閉塞装置８の閉塞体１０は、常時において巻き取り機構９に巻き取られて上昇位置に配置され出入口３から撤収されている。
【００１９】
そして、乗場２が設けられた建物の階床に火災が発生したときの煙感知器（図示しない）等の動作によって巻き取り機構９の制動が解除される。これによって、閉塞体１０が自重及び先端に装着された錘の質量によって案内レール１５に案内されて下降して前述の図１５に鎖線で示すように出入口３を閉塞する。そして、閉塞体１０による防災区画が乗場２の引き戸５の前に形成されて、閉塞体１０の火災災害拡大防止性能、すなわち遮炎性能、遮煙性能により昇降路１内への火炎、煙の侵入を防ぐ。
【００２０】
また、火災時閉塞装置８は要部、すなわち機能部材がケース１６内に収納されて三方枠４の上枠５内に配置され、ケース１６が第一種取付金具１８により補強金具１７を介して締結具１９によって三方枠４の上枠５に装着される。さらに、ケース１６は第二種取付金具２０によって開閉装置７のハンガーケースに締結具２１により装着される。そして、火災時閉塞装置８の閉塞体１０の下降口フランジ２２がケース１６の下面に設けられて、締結具２４によって上枠５の折り返し屈折部２３に装着される。
【００２１】
また、案内レール１５が前側枠１３と後側枠１４との間の空隙によって形成されるので、前述の図１５における案内レール１１を所定位置に装着する作業を省くことができる。そして、ケース１６を第一種取付金具１８によって三方枠４の上枠５に締結し、第二種取付金具２０によって開閉装置７のハンガーケースに締結する。これによって、火災時閉塞装置８を煩雑な位置決め調整作業を要することなく、簡易な作業により容易に所定位置に装着することができる。
【００２２】
したがって、火災時閉塞装置８を装備した形態のエレベーターの乗場装置を煩雑な調整作業を伴うことなく、短い作業時間によって容易に据付けることができ、作業能率を向上することができる。また、火災時閉塞装置８のケース１６が三方枠４の上枠５と開閉装置７のハンガーケースに締結される。このため、三方枠４の奥行き方向及び出入口３の昇降路１壁における開口部高さ方向について省スペース化することができる。
【００２３】
実施の形態２．
図８及び図９は、この発明の実施の形態の他の一例を示す図であり、図８は前述の図４相当図、図９は図８の実施の形態に対応した前述の図５相当図である。なお、図８及び図９の他は前述の図１〜図７の実施の形態と同様にエレベーターの乗場装置が構成されている。図において、図１〜図７と同符号は相当部分を示す。
【００２４】
２５は下降口フランジ２２に設けられた締結具２４の挿通孔で、長手が三方枠４の間口方向に配置された長穴によって構成されている。２６は第一種取付金具１８の補強金具１７との対向面に設けられた締結具１９の挿通孔で、長手が三方枠４の間口方向に配置された長穴によって構成されている。
【００２５】
上記のように構成されたエレベーターの乗場装置においても、火災時閉塞装置８がケース１６内に収納されて三方枠４の上枠５内に配置され、ケース１６が第一種取付金具１８によって三方枠４の上枠５に装着され、また第二種取付金具２０によって開閉装置７のハンガーケースに装着される。そして、案内レール１５が前側枠１３と後側枠１４との間に形成される。したがって、詳細な説明を省略するが図８及び図９の実施の形態においても図１〜図７の実施の形態と同様な作用が得られる。
【００２６】
また、図８及び図９の実施の形態において、長穴からなる挿通孔２５に締結具２４が配置され、また長穴からなる挿通孔２６に締結具１９が配置される。このため、長穴を介してケース１６を煩雑な調整作業を要せずに容易に所定位置に装着することができる。
【００２７】
したがって、火災時閉塞装置８を短い作業時間によって容易に据付けることができ、作業能率を向上することができる。なお、挿通孔２５等を対向した締結面よりも小さくして、挿通孔２５等が締結面によって塞がれることにより、火災時において挿通孔２５等からの煙の漏出を防ぐことができる。
【００２８】
実施の形態３．
図１０も、この発明の実施の形態の他の一例を示す図で、前述の図６相当図である。なお、図１０の他は前述の図１〜図７の実施の形態と同様にエレベーターの乗場装置が構成されている。図において、図１〜図７と同符号は相当部分を示し、２７は第二種取付金具２０のケース１６との対向面に設けられた締結具２１の挿通孔で、長手が上下方向に配置された長穴によって構成されている。
【００２９】
上記のように構成されたエレベーターの乗場装置においても、火災時閉塞装置８がケース１６内に収納されて三方枠４の上枠５内に配置され、ケース１６が第一種取付金具１８によって三方枠４の上枠５に装着され、また第二種取付金具２０によって開閉装置７のハンガーケースに装着される。そして、案内レール１５が前側枠１３と後側枠１４との間に形成される。したがって、詳細な説明を省略するが図８及び図９の実施の形態においても図１〜図７の実施の形態と同様な作用が得られる。
【００３０】
また、図１０の実施の形態において、長穴からなる挿通孔２７に締結具２１が配置されるので、長穴を介してケース１６を高さ方向において開閉装置７のハンガーケースに煩雑な調整作業を要せずに容易に所定位置に装着することができる。したがって、火災時閉塞装置８を短い作業時間によって容易に据付けることができ、作業能率を向上することができる。なお、挿通孔２７を対向した締結面よりも小さくして、挿通孔２７が締結面によって塞がれることにより、火災時において挿通孔２７からの煙の漏出を防ぐことができる。
【００３１】
実施の形態４．
図１１〜図１４も、この発明の実施の形態の他の一例を示す図で、図１１はエレベータ乗場の正面図、図１２は図１１の縦断側面を拡大し、かつ破断して示す図、図１３は図１２のＣ部拡大図、図１４は図１３のケース下縁部の拡大斜視図である。図において、前述の図１〜図７と同符号は相当部分を示す。
【００３２】
２８は火災時閉塞装置８の閉塞体１０の下降口フランジで、一側がケース１６の下面に固定されて他側は案内レール１５の案内部に対応して設けられた上枠５の縁部に形成された折り返し屈折部２３に対向して配置される。そして、この対向箇所に締結具の直径に対して比較的に大きい締結孔２９が設けられ、この締結孔２９を介してボルト及びナットからなる締結具２４によって上枠５の縁部に締結される。また、折り返し屈折部２３の対向箇所の縁部がさらに下方に屈折されて嵌合部３０が形成されている。
【００３３】
上記のように構成されたエレベーターの乗場装置においても、火災時閉塞装置８がケース１６内に収納されて三方枠４の上枠５内に配置され、ケース１６が第一種取付金具１８によって三方枠４の上枠５に装着され、また第二種取付金具２０によって開閉装置７のハンガーケースに装着される。そして、案内レール１５が前側枠１３と後側枠１４との間に形成される。したがって、詳細な説明を省略するが図１１〜図１４の実施の形態においても図１〜図７の実施の形態と同様な作用が得られる。
【００３４】
また、図１１〜図１４の実施の形態において、下降口フランジ２８の嵌合部３０を上枠５の縁部に形成された折り返し屈折部２３に嵌合することによって、煩雑な調整作業を要せずに容易にケース１６を上枠５に対する所定位置に配置することができる。したがって、火災時閉塞装置８を短い作業時間によって容易に据付けることができ、作業能率を向上することができる。
【００３５】
また、締結孔２９を対向した締結面よりも小さくして、締結孔２９が締結面によって塞がれることにより、火災時において締結孔２９からの煙の漏出を防ぐことができる。なお、締結孔２９を長穴とした構造であっても図１１〜図１４の実施の形態における作用を得ることができる。
【００３６】
【発明の効果】
この発明は以上説明したように、昇降路に設けられた乗場の出入口の縁部を形成する三方枠と、この三方枠の昇降路側に設けられて出入口を開閉する引き戸と、出入口上縁の昇降路側に設けられて引き戸を開閉動作させる開閉装置と、三方枠の上縁部の内部に設けられて回転軸線が水平に配置された巻き取り機構及び火災災害拡大防止性能を有する可撓性板状材からなり常時は巻き取り機構に巻き取られて上昇位置に配置され要時に下降して出入口を閉塞する閉塞体からなる火災時閉塞装置と、この火災時閉塞装置の機能部材を収納したケースを三方枠の上枠に装着する第一種取付金具及びケースを開閉装置のハンガーケースに装着する第二種取付金具とを設けたものである。
【００３７】
これによって、火災時閉塞装置がケース内に収納されて三方枠の上枠内に配置され、ケースが第一種取付金具により三方枠の上枠に装着される。さらに、ケースは第二種取付金具によって開閉装置のハンガーケースに装着される。そして、ケースを第一種取付金具及び第二種取付金具によって三方枠、開閉装置に締結することによって、火災時閉塞装置を簡易な作業により容易に所定位置に装着することができる。したがって、火災時閉塞装置を装備した形態のエレベーターの乗場装置を煩雑な調整作業を伴うことなく短い作業時間によって容易に据付けることができ、作業能率を向上する効果がある。
【００３８】
また、この発明は以上説明したように、長穴からなり第一種取付金具の三方枠の上枠との対向面に設けられて、三方枠の上枠部材の対向面によって塞がれる挿通孔に挿通されて、第一種取付金具と三方枠の上枠とを締結する締結具を設けたものである。
【００３９】
これによって、第一種取付金具の長穴からなる挿通孔に締結具が挿通されて三方枠の上枠に締結される。このため、締結具により長穴を介して火災時閉塞装置のケースを煩雑な調整作業を要せずに容易に所定位置に装着することができる。したがって、火災時閉塞装置を短い作業時間によって容易に据付けることができ、作業能率を向上する効果がある。また、挿通孔を対向した部材の締結面よりも小さくして、挿通孔が締結面によって塞がれることにより、火災時において挿通孔からの煙の漏出を防ぐ効果がある。
【００４０】
また、この発明は以上説明したように、長穴からなり第二種取付金具の開閉装置との対向面に設けられて、開閉装置部材の対向面によって塞がれる挿通孔に挿通され、第二種取付金具と開閉装置とを締結する締結具を設けたものである。
【００４１】
これによって、第二種取付金具の長穴からなる挿通孔に締結具が挿通されて開閉装置に締結される。このため、締結具により長穴を介して火災時閉塞装置のケースを煩雑な調整作業を要せずに容易に所定位置に装着することができる。したがって、火災時閉塞装置を短い作業時間によって容易に据付けることができ、作業能率を向上する効果がある。また、挿通孔を対向した部材の締結面よりも小さくして、挿通孔が締結面によって塞がれることにより、火災時において挿通孔からの煙の漏出を防ぐ効果がある。
【００４２】
また、この発明は以上説明したように、ケースの下側に設けられて下端部に、三方枠の上枠の縁部に形成された折り返し屈折部に嵌合する嵌合部を有する下降口フランジを設けたものである。
【００４３】
これによって、下降口フランジの嵌合部を上枠の縁部に形成された折り返し屈折部に嵌合することによって、煩雑な調整作業を要せずに容易に火災時閉塞装置のケースを三方枠の上枠に対する所定位置に配置することができる。したがって、火災時閉塞装置を短い作業時間によって容易に据付けることができ、作業能率を向上する効果がある。
【図面の簡単な説明】
【図１】この発明の実施の形態１を示す図であり、エレベータ乗場の正面図。
【図２】図１の縦断側面を拡大し、かつ破断して示す図。
【図３】図２のＡ部拡大図。
【図４】図３のケース下縁部の拡大斜視図。
【図５】図２のＢ部拡大斜視図。
【図６】図２の第二種取付金具の拡大図。
【図７】図６の側面図。
【図８】この発明の実施の形態２を示す図で、前述の図４相当図。
【図９】図８の実施の形態に対応した前述の図５相当図。
【図１０】この発明の実施の形態３を示す図で、前述の図６相当図。
【図１１】この発明の実施の形態４を示す図であり、エレベータ乗場の正面図。
【図１２】図１１の縦断側面を拡大し、かつ破断して示す図。
【図１３】図１２のＣ部拡大図。
【図１４】図１３のケース下縁部の拡大斜視図。
【図１５】従来のエレベーターの乗場装置を示す縦断側面図。
【符号の説明】
１　昇降路、　　２　乗場、　　３　出入口、　　４　三方枠、　　５　上枠、　　６　引き戸、　　７　開閉装置、　　８　火災時閉塞装置、　　９　巻き取り機構、　　１０　閉塞体、　　１６　ケース、　　１８　第一種取付金具、１９　締結具、　　２０　第二種取付金具、　　２１　締結具、　　２３　折り返し屈折部、　　２６　挿通孔、　　２７　挿通孔、　　２８　下降口フランジ、　　３０　嵌合部。
【図１】
2004091133.tif 000003
【図２】
2004091133.tif 000004
【図３】
2004091133.tif 000005
【図４】
2004091133.tif 000006
【図５】
2004091133.tif 000007
【図６】
2004091133.tif 000008
【図７】
2004091133.tif 000009
【図８】
2004091133.tif 000010
【図９】
2004091133.tif 000011
【図１０】
2004091133.tif 000012
【図１１】
2004091133.tif 000013
【図１２】
2004091133.tif 000014
【図１３】
2004091133.tif 000015
【図１４】
2004091133.tif 000016
【図１５】
2004091133.tif 000017